(57)【要約】【課題】オス側端子の先端が誤挿入されて曲げを起こすことのない、型構造も簡単なものとすることのできるコネクタを提供する。【解決手段】端子収容室の上下で隣り合う端子収容室の仕切に仕切壁２４を設け、幅方向両端に設けた側面部材とを設けて成るコネクタのリテーナ２０において、仕切壁２４には、コネクト側が自由端となるランス２４１を仕切壁２４の先端側に形成され、ランス２４１の下部に下方へ突出する仮係止用ツメを形成され、ランス２４１の基端部から斜め上方コネクト側へ延設する端子押さえ部２４Ｐを形成され、仕切壁２４のランス２４１の基端部とランスの反コネクト側端部との中間近傍に上方へ垂直に立ち上がる段差部２４Ｄが形成され、側面部材２５に仮係止用部片を形成した。【選択図】図２
2010108715.tif 000002
【特許請求の範囲】
【請求項１】
幅方向と上下方向にそれぞれ配設される端子収容室と前記端子収容室のうち少なくとも上下で隣り合う端子収容室の仕切壁にランスを設けたリテーナ本体と、前記リテーナ本体の幅方向両端にそれぞれ設けた側面部材とを備えたリテーナと、
前記リテーナを下方から挿入する挿入口と前記挿入されたリテーナを内部に収納する収納空間とが形成されたハウジング本体と、を備えて成るリテーナ付きコネクタにおいて、
前記ランスは、前記仕切壁のコネクト側先端に形成され、コネクト側が自由端となる片持ちアーム形状であり、前記ランスの下部に下方へ突出する仮係止用ツメが形成され、前記ランスの基端部から斜め上方コネクト側へ延設する端子押さえ部を形成され、前記仕切壁の後方に端子本係止部が形成され、
前記側面部材には仮係止用部片が形成され、
前記ハウジング本体には前記仮係止用部片および前記本係止用部片に対応する被係止部がそれぞれ形成されたことを特徴とするリテーナ付きコネクタ。
【請求項２】
前記リテーナの最下部の端子収容室の底部に更に前記端子押さえ部が形成されたことを特徴とする請求項１記載のリテーナ付きコネクタ。
【請求項３】
前記リテーナの最上部の端子収容室の天井部に更に前記ランスが形成されたことを特徴とする請求項１又は２記載のリテーナ付きコネクタ。
【請求項４】
前記側面部材は略矩形状をしており、該略矩形状側面部材には、前記リテーナの挿入方向先端の角に先の尖った仮係止用ツメが前記ハウジング本体側に向けて形成されると共に、前記仮係止用ツメのある角を含む２辺のそれぞれに切り欠きが形成されることで前記仮係止用ツメを弾性変位可能としたことを特徴とする請求項３記載のリテーナ付きコネクタ。
【請求項５】
前記略矩形状側面部材には、前記仮係止用ツメのある辺の反対側の縦辺中央部に本係止用突起が形成されると共に、前記本係止用突起の近傍に上下に延びる開口が形成されることで前記本係止用突起を弾性変位可能としたことを特徴とする請求項４記載のリテーナ付きコネクタ。
【発明の詳細な説明】
【技術分野】
【０００１】
本発明は、コネクタに係り、特に、端子を一次係止および二次係止する端子係止ランスを有するリテーナを備えたリテーナ付きコネクタに関するものである。
【背景技術】
【０００２】
この種のコネクタとしては、例えば特許文献１に記載されたコネクタが知られている。特許文献１記載の発明は、補強リブを形成してランスの剛性を高めることで、端子金具を抜止めする信頼性の高い、補強リブを逃がし部内に収容すことで、補強リブを形成したことに起因するランス撓み方向にコネクタが大型化することを回避するものである。
【特許文献１】特開２００６−１００２２７号公報
【０００３】
しかしながら、特許文献１記載の発明では、ランスをハウジングに形成するための型抜きの孔が端子挿入孔の下方に形成されており、オス側端子の先端がこの孔に誤挿入され、曲げを起こしてしまう虞があった。
【発明の開示】
【発明が解決しようとする課題】
【０００４】
本発明は、上記課題を解決するためになされたもので、端子のための型抜き構造による孔の大きさが小さい、したがってまた、オス側端子の先端が誤挿入されて曲げを起こすことのない、型構造も簡単となるコネクタを提供することを目的とするものである。
【課題を解決するための手段】
【０００５】
上記課題を解決するため、本発明（１）に係るリテーナ付きコネクタは、幅方向と上下方向にそれぞれ配設される端子収容室と前記端子収容室のうち少なくとも上下で隣り合う端子収容室の仕切壁にランスを設けたリテーナ本体と、前記リテーナ本体の幅方向両端にそれぞれ設けた側面部材とを備えたリテーナと、前記リテーナを下方から挿入する挿入口と前記挿入されたリテーナを内部に収納する収納空間とが形成されたハウジング本体と、を備えて成るリテーナ付きコネクタにおいて、前記ランスが、前記仕切壁のコネクト側先端に形成され、コネクト側が自由端となる片持ちアーム形状であり、前記ランスの下部に下方へ突出する仮係止用ツメが形成され、前記ランスの基端部から斜め上方コネクト側へ延設する端子押さえ部を形成され、前記仕切壁の後方に端子本係止部が形成され、前記側面部材には仮係止用部片が形成され、前記ハウジング本体には前記仮係止用部片および前記本係止用部片に対応する被係止部がそれぞれ形成されたことを特徴としている。
【０００６】
また、本発明（２）に係るリテーナ付きコネクタは、上記（１）のリテーナ付きコネクタにおいて、前記リテーナの最下部の端子収容室の底部に更に前記端子押さえ部が形成されたことを特徴としている。
【０００７】
また、本発明（３）に係るリテーナ付きコネクタは、上記（１）又は（２）のリテーナ付きコネクタにおいて、前記リテーナの最上部の端子収容室の天井部に更に前記ランスが形成されたことを特徴としている。
【０００８】
また、本発明（４）に係るリテーナ付きコネクタは、上記（３）のリテーナ付きコネクタにおいて、前記側面部材は略矩形状をしており、該略矩形状側面部材には、前記リテーナの挿入方向先端の角に先の尖った仮係止用ツメが前記ハウジング本体側に向けて形成されると共に、前記仮係止用ツメのある角を含む２辺のそれぞれに切り欠きが形成されることで前記仮係止用ツメを弾性変位可能としたことを特徴としている。
【０００９】
また、本発明（５）に係るリテーナ付きコネクタは、上記（４）のリテーナ付きコネクタにおいて、前記略矩形状側面部材には、前記仮係止用ツメのある辺の反対側の縦辺中央部に本係止用突起が形成されると共に、前記本係止用突起の近傍に上下に延びる開口が形成されることで前記本係止用突起を弾性変位可能としたことを特徴としている。
【発明の効果】
【００１０】
上記構成により、ハウジングにランスを形成するための型抜き構造による孔を設ける必要がなく、したがってまた、オス側端子の先端が誤挿入されて曲げを起こすことのない、型構造も簡単なものとすることのできるコネクタを得ることができる。
【発明を実施するための最良の形態】
【００１１】
以下、本発明に係るリテーナ付きコネクタの最良の実施形態について図面に基づいて詳細に説明する。
図１は本発明に係るコネクタの斜視図、図２は図１のコネクタを構成する１要素であるリテーナの斜視図、図３は図１のコネクタを構成するもう１つの要素であるハウジング本体の斜視図である。
〈図１のコネクタ１０の説明〉
本発明に係るコネクタ１０は、図１に示すように、メス型端子を反Ｘ方向から内部に挿入して固定するためのリテーナ２０（図では一部だけ見えている。）と、このリテーナ２０を下方からＺ方向（上方）に挿入して内部に固定するハウジング本体３０との２要素から構成されている。
図において、コネクタ１０はメス型コネクタで、正面壁２２Ｆには別のオス型コネクタの端子が挿入されるオス型端子挿入孔２２Ｈを幅方向（Ｙ方向）と上下方向（Ｚ方向）に複数個（図１では、幅方向に９個、上下方向に２個の合計１９個）を備えている。
本発明のコネクタについて以下ではメス型コネクタ１０の実施例で説明するが、本願発明はメス型コネクタに限定されるものではなく、本発明の考え方はオス型コネクタにも同様に適用可能である。
【００１２】
〈図２のリテーナ２０の説明〉
リテーナ２０は、合成樹脂でできている。図２において、リテーナ２０は、上下方向に２個の端子収納室２０ｕ、２０ｄを備えたものを幅方向（Ｙ方向）に９個形成したリテーナ本体２０Ｈと、このリテーナ本体２０Ｈの幅方向両端部にそれぞれ形成された側面部材２５とから成っている。
そこで、まず、リテーナ本体２０Ｈ、次いで側面部材２５、その後ハウジング本体について説明する。
【００１３】
〈リテーナ本体２０Ｈの構成〉
リテーナ本体２０Ｈは、（１）底部２１と、（２）この底部２１の上方に所定間隔をあけて底部２１に平行に設けられた天井部２３と、（３）底部２１と天井部２３との間を所定間隔で上下に連結する複数個（図では８個）の隔壁部２２（ただし、幅方向両端にはない。）と、（４）底部２１と天井部２３との上下の中間部位に形成される仕切壁２４と、から構成されている。
【００１４】
〈リテーナ本体２０Ｈの仕切壁２４の説明〉
まず、仕切壁２４（図２）について図４に基づいて説明する。
図４は、図１のコネクタをその真ん中を通るＸ−Ｚ面で切断して、これをＹ方向に見た側面図である。
（１）仕切壁２４の先端側には、反Ｘ方向（コネクト）側が自由端となる片持ちアーム形状のランス２４１が形成されている。このランス２４１は合成樹脂の弾性により基端部２４Ｆを中心にして斜め上方向に振れることができる。
（２）そして、仮係止用ツメ２４Ｔがこのランス２４１の裏側で下方へ突出するように形成されている。この仮係止用ツメ２４Ｔは端子が挿入されたとき、端子の頂部に形成された係止孔に入り込んで端子の一次係止に用いられる。
（３）さらに、端子押さえ部２４Ｐがランス２４１の固定側２４Ｆから斜め上方コネクト側へ延設するように形成されている。この端子押さえ部２４Ｐも合成樹脂でできているので弾性があり、上段の端子収納室に挿入された端子を端子二次係止時に樹脂の弾性で上方へ押さえ付けて、端子収納室内で端子がガタつくことを抑制している。
（４）一方、仕切壁２４の後端側には、ランスの固定側２４Ｆと仕切壁２４のＸ方向（反コネクト）側端部２４Ｓとのほぼ中間部位２４Ｍにおいて上方へ垂直に立ち上がる段差部２４Ｄが形成されている。この段差部２４Ｄは同じく端子側に形成された逆段差部に係止して端子の二次係止に用いられる。
また、この段差部２４Ｄの反対側の部位２４には傾斜部２４Ｋが形成されており、端子が挿入されるときに端子を下方へ案内するガイドの役割をする。
【００１５】
〈リテーナ本体２０Ｈの底部２１の説明〉
（１）底部２１（図２）は合成樹脂でできた平板である。直上の仕切壁２４（図４）に設けられた端子押さえ部２４Ｐと同じく、同一形状の端子押さえ部２１Ｐが、この底部２１の上の同じ対応部位から斜め上方コネクト側へ形成されている。この端子押さえ部２１Ｐは下段の端子収納室に挿入されてきた端子を、端子二次係止時に樹脂の弾性で上方へ押さえ付け、端子が収納室内でガタつくことを抑制する。
（２）一方、底部２１の後端側には、直上の仕切壁２４に設けられた段差部２４Ｄと同じく、Ｘ方向のほぼ中間部位２１Ｍにおいて上方へ垂直に立ち上がる段差部２１Ｄが形成されている。この段差部２１Ｄは同じく端子側に形成された逆段差部に係止して端子の二次係止に用いられる。
【００１６】
〈リテーナ本体２０Ｈの天井部２３の説明〉
（１）天井部２３（図２）は合成樹脂でできた平板である。この天井部２３の下方の先端側には、反Ｘ方向（コネクト）側が自由端となる片持ちアーム形状のランス２３１（図４）が天井部２３のコネクト側の基端部２３Ｆに形成されている。このランス２３１は合成樹脂の弾性により基端部２３Ｆを中心にして斜め上方向に振れることができる。
（２）そして、このランス２３１の裏側に下方へ突出する仮係止用ツメ２３Ｔが形成されており、端子が挿入されたとき、端子の頂部に形成された係止孔に入り込んで端子の一次係止に用いられる。
以上の仕切壁２４、ランス２４１、端子押さえ部２４Ｐ、段差部２４Ｄのそれぞれの幅方向の長さは、いずれも同一で、端子収納室の内部の幅とほぼ同じとなっている。
【００１７】
〈リテーナ本体２０Ｈの隔壁部２２の説明〉
（１）隔壁部２２（図２）は底部２１と天井部２３を連結する合成樹脂の部材で、挿入される端子毎にそれを挟んで両側に立設されている。可動部分であるランス２３１、２４１の可動範囲に対応する領域は壁厚を若干薄くして、ランス２３１、２４１が接触しないようにしている。
【００１８】
〈側面部材２５〉
次に、側面部材２５（図２）の説明をする。
側面部材２５は、図５において、リテーナ２０をハウジング本体３０の下方からハウジング本体３０内に挿入させていくと途中でリテーナ２０をハウジング本体３０内に仮係止させる仮係止部２５Ｂと、さらに押し上げると、この仮係止を脱してリテーナ２０を最終的にハウジング本体３０のさらに奥に係止させる本係止部２５Ａとを備えている。
このように本発明による側面部材２５は仮係止部と本係止部とを備えているのが特徴である。
【００１９】
〈仮係止部〉
矩形状をした側面部材２５は、その矩形の上辺角に仮係止用ツメ２５Ｂがツメをハウジング本体側に向けて形成されている。そして、仮係止用ツメ２５Ｂを含む２辺（図５で上辺と左辺）でその仮係止用ツメ２５Ｂの近傍にそれぞれ切り欠き２５Ｓと２５Ｒが形成され、これにより仮係止用ツメ２５Ｂのためのアーム部２５Ｄが形成され、仮係止用ツメ２５Ｂは合成樹脂の弾性でＸ方向に弾性変位可能となっている。
また、切り欠き２５Ｒは、本係止状態でアーム部２５Ｄが係合部３０Ｂに接触しないような幅と深さに形成されている。
【００２０】
〈本係止部〉
本係止用突起２５Ａは、側面部材２５の端子挿入方向手前の辺２５Ｌの中央近傍から突出して形成されている。そして辺２５Ｌから所定間隔あけた位置に当該辺２５Ｌと平行に上下方向に延びる長い開口２５Ｋが形成されている。この長円開口２５Ｋが存在することで本係止用突起２５ＡはＸ方向に弾性変位可能となっている。
以上で、図２のリテーナ２０の説明を終え、次に図３のハウジング本体３０の説明をする。
【００２１】
〈ハウジング本体３０〉
ハウジング本体３０（図３）は合成樹脂製でできており、矩形の底部３１と底部３１の４辺から立設する４枚の壁部３２（正確には、正面壁部３２Ｆ、背面壁部３２Ｂ、両側壁部３２Ｓ、３２Ｓ）と天蓋部３３とが一体に形成されている。
ハウジング本体３０内には、雌型端子３００の挿入方向Ｙ１と直交する方向Ｙ２から（図１では下方の底部３１から）リテーナ２０が挿入されて、リテーナ２０を本係止状態で内部に収納する。
【００２２】
〈ハウジング本体３０の底部３１〉
図６は底部３１の底面図である。３１Ｈはリテーナ２０（図２）が挿入される大きな開口である。３１Ｊ、３１Ｊ（図で左右の２箇所）はリテーナ２０の側面部材２５（図２）が案内される案内通路で、案内通路３１Ｊは側壁部３２Ｓと、側壁部３２Ｓに形成された凹部のＸ方向の両側面３０Ｃ、３０Ｇと、案内壁３０Ｄとで囲まれた領域で形成される。案内通路３１ＪのＸ方向の両側面３０Ｃ、３０Ｇ（図５も）に、仮係止用ツメ２５Ｂが係合する係合部３０Ｂと、本係止用突起２５Ａが係合する係合孔３０Ａ（図５）の入口端部（手前）３０Ａ１がそれぞれ形成されているのが見える。
【００２３】
〈ハウジング本体３０の壁部３２〉
図３に戻って、壁部３２は、正面壁部３２Ｆ、背面壁部３２Ｂ、両側壁部３２Ｓ、３２Ｓから構成されている。
《正面壁部３２Ｆ》
正面壁部３２Ｆには、内部に装着されたリテーナ２０の端子収容室に連通するオス型端子挿入孔としてのタブ挿入孔３２Ｔが多数個設けられている（図では１段に９個のものが２段）。そして、相手側のオス型端子（図示なし）がこのタブ挿入孔３２Ｔから挿入される。
《背面壁部３２Ｂ》
背面壁部３２Ｂには、リテーナ２０の端子収容室にメス型端子が背後から挿入されるためのメス型端子挿入孔が１段に９個で２段に設けられている。
《両側壁部３２Ｓ》
両側壁部３２Ｓ（図３）には、それぞれ側面部材２５（図２）が案内される案内通路がそれぞれの内側に形成されており、その案内通路中の一方の通路壁３０Ｃ（図５）に係止部３０Ｂ（図５）がその案内通路に向けて突出して形成されており、そこからリテーナ２０の挿入方向手前側に向けてその突出が傾斜して後退しており、仮係止用ツメ２５Ｂ（図５）が斜面に沿って上昇し易くしている。そして、係止部３０Ｂのリテーナ２０の挿入方向側は水平に形成され、ここに仮係止用ツメ２５Ｂが係合することとなる。
さらに、その案内通路中の反対の通路壁３０Ｇには係止孔３０Ａがリテーナ２０の挿入方向中央部位に形成され、係合孔３０Ａの反Ｚ方向の入口端部（手前）３０Ａ１が通路壁３０Ｇからその案内通路に向けて突出するように傾斜して形成されていて、本係止用突起２５Ａ（図５）が簡単に係合孔３０Ａに行かないように規制している。また、係合孔３０ＡのＺ方向の入口端部（向こう側）３０Ａ２は傾斜突出部３０Ａ１と反Ｘ方向に同じ高さで形成されている。
【００２４】
〈ハウジング本体３０の天蓋部３３〉
天蓋部３３には、ロックアーム等が設けられて相手側リテーナを係止するようになっているが、本発明には直接関係ないので、それ以上の説明は割愛する。
【００２５】
本発明によると、ハウジング本体３０内にその下方からリテーナ２０を挿入するとリテーナ２０はまずハウジング本体３０内で仮係止状態となり、さらに挿入し続けるとリテーナ２０は最終的にハウジング本体３０内で本係止状態となる。この過程について、図５〜図１１に基づいて説明する。
【００２６】
〈挿入開始〉
図５において、ハウジング本体３０内にその下方から矢印方向にリテーナ２０を挿入する。リテーナ２０は側面部材２５と一体形成されたリテーナ本体２０Ｈとから成っているので、側面部材２５を案内通路３１Ｊ（図６）に挿入することにより、リテーナ本体２０Ｈもハウジング本体３０のリテーナ装填空間３０Ｒ（図６）に挿入されることとなる。
【００２７】
〈仮係止用ツメ２５Ｂの変位〉
リテーナ２０をハウジング本体３０内に挿入していくと、側面部材２５の仮係止用ツメ２５Ｂはやがて係合部３０Ｂに至る傾斜面３０Ｔに到達し、さらに押し上げていくと、傾斜面３０Ｔによって仮係止用ツメ２５Ｂはその弾性変形するアーム部２５ＤによってＸ方向に変位する（図７）ので、リテーナ２０のハウジング本体３０内への押し上げが続行可能となる。
【００２８】
〈仮係止〉
リテーナ２０をハウジング本体３０内にさらに挿入していくと、図５において、側面部材２５の仮係止用ツメ２５Ｂは傾斜面３０Ｔに接して、弾性のアーム部２５Ｄの変位によりＸ方向に変位しながら（図７）上昇していき、仮係止用ツメ２５Ｂが傾斜面３０Ｔを越えると、傾斜面Ｔはなくなるので、弾性のアーム部２５Ｄは反Ｘ方向に復元し、仮係止用ツメ２５Ｂは係合部３０Ｂに係合する（図８）ためこの状態で手を離しても下方（反Ｚ方向）へ落下することはない。
また、軽く押しても側面部材２５の本係止用突起２５Ａが係合孔３０Ａに至る急傾斜部３０Ａ１に当接しているので簡単に移動することもできない。
かくしてここに仮係止状態が実現する。
【００２９】
図４はリテーナ２０とハウジング本体３０の仮係止状態（ただし、端子はない状態）でリテーナがどのような状態にあるのかを示す縦断面図である。
図から判るように、仮係止状態では、天井部２３の各ランス２３１の仮係止用ツメ２３Ｔと仕切壁２４の各ランス２４１の仮係止用ツメ２４Ｔがそれぞれ、端子挿入通路の上方で下方へ突出している。この仮係止用ツメ２３Ｔ、２４Ｔが端子を一次係止することとなる。
【００３０】
〈本仮係止突起２５Ａの変位〉
図８に戻って、仮係止状態からさらに本係止状態に移行するには、本係止用突起２５Ａが急傾斜部３０Ａ１を乗り越えることのできる押圧力でリテーナ２０を押し上げる。そうすると、リテーナ２０はハウジング本体３０内をさらに上昇する。この場合、側面部材２５の本係止用突起２５Ａ近傍に設けられた長い開口２５Ｋ（図８）と辺２５Ｌ（図８）との間の端縁部２５Ｅが反Ｘ方向へ弾性変形するので（図９）、本係止用突起２５Ａは急傾斜部３０Ａ１によって反Ｘ方向へ変位することができる。
【００３１】
〈本係止状態の実現〉
そして、さらにリテーナ２０を押し上げると、本係止用突起２５Ａは急傾斜部３０Ａ１を乗り越えて、係合孔３０の両入口縁部３０Ａ１と３０Ａ２の間に係合される（図１１）。
この状態では側面部材２５の仮係止用ツメ２５Ｂは係合部３０Ｂとの係合を外れているが、変位力はどこにもかかっていないので安定している。ここに本係止状態が完成する。
【００３２】
図１０はリテーナ２０とハウジング本体３０の本係止状態（ただし、端子はない状態）でリテーナがどのような状態にあるのかを示す縦断面図である。本係止状態では、ランス２４１の端子押さえ部２４Ｐと底部２１の端子押さえ部２１Ｐとが上方へ持ち上げられている。したがって本係止状態の端子はこの端子押さえ部２４Ｐと２１Ｐで押さえられてガタ防止されることとなる。
なお、本係止状態では、リテーナ２０の底部２１とハウジング本体２０Ｈの底部３１とは面一となっている。
【００３３】
次に、仮係止状態および本係止状態で、リテーナ本体内部の各部材はどのように動作するのかについて説明する。
〈仮係止状態でのランス２３１、２４１による端子の一次係止〉
図４はリテーナ２０が上述した仮係止状態の縦断面図で、端子がまだ挿入されていない状態である。この状態では、天井部２３の各ランス２３１の仮係止用ツメ２３Ｔと仕切壁２４の各ランス２４１の仮係止用ツメ２４Ｔがそれぞれ、端子挿入通路の上方で下方へ突出している。
次に、図の上下の端子収納室２０ｕ、２０ｄの右側から反Ｘ方向にメス型端子Ｔをそれぞれ挿入するとする。その途中の段階を示したのが、図１２である。
端子Ｔの上部には、仮係止用ツメ２３Ｔ、２４Ｔが入り込む係止孔ＴＬがそれぞれに形成されている。
今、上部の端子収納室２０ｕに挿入された端子Ｔがさらに進むと、端子Ｔの先端が仮係止用ツメ２３Ｔに当接する。仮係止用ツメ２３Ｔの当接部分は傾斜面となっておりかつ仮係止用ツメ２３Ｔを含むランス２３１が合成樹脂でできて弾性を有するので、端子の先端が仮係止用ツメ２３Ｔに当接すると、ランス２３１が斜め上方に旋回することができ、端子Ｔはさらに前進することができる。そして、最終的に、仮係止用ツメ２３Ｔが端子Ｔの係止孔ＴＬに入り込むと、ランス２３１にはもはや負荷がかからないので旋回前の状態に復帰する。このように、端子収納室に挿入された端子は仮係止状態で、ランス２３１の仮係止用ツメ２３Ｔが端子Ｔの係止孔ＴＬに入り込み、端子はリテーナによって一次係止されることができる。
以上は、上部の端子収納室２０ｕに挿入された端子Ｔがランス２３１によって一次係止される一連の動作を説明したが、下部の端子収納室２０ｄに挿入された端子Ｔがランス２４１によって一次係止される動作も、同様であるので説明は省略する。
【００３４】
次に、本係止状態で、リテーナ本体内部の各部材はどのように動作するのかについて説明する。
〈本係止状態での端子押さえ部２１Ｐ、２４Ｐの動作〉
図１３の仮係止で端子が一次係止された状態から、さらにリテーナ２０を押し上げると、図１０で示した本係止となる。この場合、リテーナ２０が上昇しても、端子Ｔは図１４のように端子の先端頭部が端子収納室の天井部（上方の端子の場合）および仕切（下方の端子の場合）に当接してそれ以上上昇できなくなる。
一方、端子の先頭側下部では、弾性のある端子押さえ部２１Ｐ、２４Ｐが上方へ押さえているので、端子は収納室内でガタつくことが抑制される。
〈本係止状態での段差部２１Ｄ、２４Ｄによる端子の二次係止〉
一方、底部２１の段差部２１Ｄの立ち上がり部２１Ｍが、端子側に形成された逆段差部と係合して強固な二次係止が行われる。
同じく、仕切壁２４の段差部２４Ｄの立ち上がり部２４Ｍが、端子側に形成された逆段差部と係合して強固な二次係止が行われる。
【００３５】
〈本係止状態で端子の一次係止は解除〉
図１３の仮係止で端子が一次係止された状態から、さらにリテーナ２０を押し上げると、図１０で示した本係止となる。この場合、リテーナ２０が上昇しても、端子Ｔは図１４のように端子の先端頭部が端子収納室の天井部（上方の端子の場合）および仕切（下方の端子の場合）に当接してそれ以上上昇できなくなる。
したがって、リテーナ２０のランス２３１の仮係止用ツメ２３Ｔおよびランス２４１の仮係止用ツメ２４Ｔが端子Ｔの係止孔ＴＬから抜け出てしまい、一次係合は解除される。
【図面の簡単な説明】
【００３６】
【図１】本発明に係るコネクタの斜視図、
【図２】図１のコネクタを構成する１要素であるリテーナの斜視図、
【図３】図１のコネクタを構成するもう１つの要素であるハウジング本体の斜視図である。
【図４】仮係止状態の図１のコネクタ（端子なし）のＸ−Ｚ切断面をＹ方向に見た側面図である。
【図５】リテーナの側面部材をハウジング本体に挿入する直前の側面図である。
【図６】底部３１の底面図である。
【図７】仮係止直前の側面図である。
【図８】仮係止状態の側面図である。
【図９】本係止直前の側面図である。
【図１０】本係止状態の図１のコネクタ（端子なし）のＸ−Ｚ切断面をＹ方向に見た側面図である。
【図１１】本係止状態の側面図である。
【図１２】図４の仮係止状態のコネクタに端子を挿入している途中の側面図である。
【図１３】仮係止状態の端子一次係止を示す側面図である。
【図１４】本係止状態の端子二次係止を示す側面図である。
【符号の説明】
【００３７】
１０  本発明に係るコネクタ
２０  リテーナ
２０ｕ、２０ｄ  端子収納室
２ＯＨ  リテーナ本体
２１  底部
２１Ｐ  端子押さえ部
２１Ｍ  中間部位２１Ｍ
２１Ｄ  段差部
２２  隔壁部
２２Ｆ  正面壁
２２Ｈ  オス型端子挿入孔
２３  天井部
２３１  ランス
２３Ｆ  基端部
２３Ｔ  仮係止用ツメ
２４  仕切壁
２４１  ランス
２４Ｄ  段差部
２４Ｔ  仮係止用ツメ
２４Ｐ  端子押さえ部
２４Ｐ  固定側
２４Ｓ  側端部
２４Ｍ  中間部位
２５  側面部材
２５Ｂ  仮係止部（仮係止用ツメ）
２５Ａ  本係止部（本係止用突起）
２５Ｌ  辺
２５Ｋ  長い開口
２５Ｓ、２５Ｒ  切り欠き
２５Ｄ  アーム部
３０  ハウジング本体
３０Ａ  係合孔
３０Ａ１、３０Ａ２  係合孔の入口端部（手前と向こう）
３０Ｂ  係合部
３０Ｃ、３０Ｇ  側面
３０Ｄ  案内壁
３０Ｋ  係合孔
３１  底部
３１Ｈ  開口
３１Ｊ  案内通路
３２  壁部
３２Ｆ  正面壁部
３２Ｂ  背面壁部
３２Ｓ  側壁部
３３  天蓋部
【図１】
2010108715.tif 000003
【図２】
2010108715.tif 000004
【図３】
2010108715.tif 000005
【図４】
2010108715.tif 000006
【図５】
2010108715.tif 000007
【図６】
2010108715.tif 000008
【図７】
2010108715.tif 000009
【図８】
2010108715.tif 000010
【図９】
2010108715.tif 000011
【図１０】
2010108715.tif 000012
【図１１】
2010108715.tif 000013
【図１２】
2010108715.tif 000014
【図１３】
2010108715.tif 000015
【図１４】
2010108715.tif 000016